(57)【要約】【課題】  ユーザーが、目的の情報を効率よく得ることができ、ウェブページの提供者側も十分な効果が得られるように、ウェブページの表示を最適化するシステムを提供することである。【解決手段】  ページごとに、複数のコンテンツＡ，Ｂ，Ｃ，・・・を対応づけて記憶するとともに、各コンテンツの特性に応じた検索キーワードをグループ化したキーグループＫ１，Ｋ２，・・・を、上記各コンテンツに個別に対応付けて記憶した記憶部４と、データ処理部３とを備え、上記データ処理部３は、検索エンジン２を介して入力された検索キーワードに基づいてキーグループを特定し、特定したキーグループに対応したコンテンツを優先コンテンツとして選択し、この優先コンテンツを上記ページに優先的に表示させる。【選択図】  図１
2010009220.tif 000002
【特許請求の範囲】
【請求項１】
ページごとに、複数のコンテンツを対応づけて記憶するとともに、各コンテンツの特性に応じた検索キーワードをグループ化したキーグループを、上記各コンテンツに個別に対応付けて記憶した記憶部と、データ処理部とを備え、上記データ処理部は、検索エンジンを介して入力された検索キーワードに基づいてキーグループを特定し、特定したキーグループに対応したコンテンツを優先コンテンツとして選択し、この優先コンテンツを上記ページに優先的に表示させるウェブページ表示最適化システム。
【請求項２】
上記記憶部は、ページに同時表示させる複数のコンテンツを予め対応付けて記憶し、上記データ処理部は、検索エンジンを介して入力された検索キーワードに基づいて、上記同時表示させる複数のコンテンツの中から上記優先コンテンツを選択し、この優先コンテンツを、上記ページの優先表示位置に表示させる請求項１に記載のウェブページの表示最適化システム。
【請求項３】
上記処理部は、検索エンジンを介して入力された検索キーワードに基づいて上記優先コンテンツを選択し、この優先コンテンツをページ上に表示させる請求項１に記載のウェブページの表示最適化システム。
【請求項４】
上記記憶部は、ページごとに対応付けた複数のコンテンツをグループ化した複数のコンテンツグループを記憶し、上記データ処理部は、検索エンジンを介して入力された検索キーワードに基づいて上記優先コンテンツを選択してこれを優先表示するとともに、この優先コンテンツが含まれるコンテンツグループを特定し、このコンテンツグループに含まれるコンテンツを上記優先コンテンツとともに上記ページに表示させる請求項１に記載のウェブページの表示最適化システム。
【請求項５】
上記記憶部は、複数のキーグループをグループ化したキーグループ群を記憶し、上記データ処理部は、検索エンジンを介して入力された検索キーワードに基づいて上記優先コンテンツを選択してこれを優先表示するとともに、この優先コンテンツに対応するキーグループが含まれるキーグループ群を特定し、この特定したキーグループ群に含まれる全てのキーグループに対応するコンテンツを、上記優先コンテンツととともに、上記ページに表示させる請求項１に記載のウェブページの表示最適化システム。
【発明の詳細な説明】
【技術分野】
【０００１】
この発明は、宣伝広告や、商品販売などを目的にしたウェブページの表示を最適化するためのシステムに関する。
【背景技術】
【０００２】
従来から、インターネットを利用した宣伝広告や、商品販売などが行われている。ユーザーは、パソコンなどのユーザー端末１から適当な検索キーワードを入力して、ディスプレイに目的のページを表示させることができる。ユーザーが、検索キーワードを入力すると、検索エンジンがその検索キーワードに対応付けられたページを抽出して、ユーザー端末１に表示させるのである（図７参照）。
例えば、ユーザーが、ネットショップでいちごを購入したい場合、図７に示すように、検索キーワードとして「いちご」を入力すると、上記検索エンジンは、まず、入力された検索キーワード「いちご」の検索結果のリストＬ１を表示させる。そのリストの中からユーザーが、一つの検索結果を選択すると、いちごを販売している業者のホームページＨＰにたどり着くことができる。
【特許文献１】特開２００６−２６１７８８号公報
【発明の開示】
【発明が解決しようとする課題】
【０００３】
また、上記ホームページＨＰの業者がすいかも取り扱っていて、すいかの情報もこのホームページＨＰに載せていた場合には、ユーザーが、「すいか」という検索キーワードで検索した場合にも、上記検索エンジン２の検索結果のリストＬ２から、上記ホームページＨＰにたどり着くこともできる。
しかし、このホームページＨＰが、図７に示すように、みかん、いちご、バナナ、すいかの情報を、上記の順に配置したページであったとき、検索キーワードとして「いちご」を用いても「すいか」を用いても同じものが表示されるのである。
つまり、検索エンジン２によってこのページに到達しさえすれば、どのような検索キーワードを用いたとしても、ユーザー端末１には全く同じものが表示される。
【０００４】
そのため、上記のように、「すいか」が欲しくて検索しても、ユーザー端末には、いちごやバナナなど他のフルーツの方が目立つ位置に表示され、目的のすいかはページの下の方に表示されることになる。そのため、ユーザーは、ディスプレイ上で目的のすいかの情報を探さなければならい。
【０００５】
このように、異なる検索キーワードによって同一ページが表示されるとき、そのページ内のコンテンツの配置によって目的の情報を簡単に見つけることができないことがあった。その場合には、ユーザーは、ページの隅々まで目的情報を探さなければならなかった。
また、ユーザー端末１に表示されたページ内で目的の情報が見つけ難い場合には、ユーザーは途中であきらめて、上記検索エンジン２によって表示されたリストＬ２に戻り、別のホームページにアクセスすることがある。
そのため、上記ホームページＨＰを提供している業者は、すいかを取り扱っているにも係らず、自社のホームページＨＰが利用されないことになる。
つまり、上記従来のホームページでは、ユーザーが、目的の情報を得るのに手間がかかるという問題とともに、ウェブページを作成しても、それがユーザーに利用されず、十分な宣伝広告効果を得られないという問題があった。
【０００６】
この発明の目的は、ユーザーが、目的の情報を効率よく得ることができ、ウェブページの提供者側も十分な効果が得られるように、ウェブページの表示を最適化するシステムを提供することである。
【課題を解決するための手段】
【０００７】
第１の発明は、ページごとに、複数のコンテンツを対応づけて記憶するとともに、各コンテンツの特性に応じた検索キーワードをグループ化したキーグループを、上記各コンテンツに個別に対応付けて記憶した記憶部と、データ処理部とを備え、上記データ処理部は、検索エンジンを介して入力された検索キーワードに基づいてキーグループを特定し、特定したキーグループに対応したコンテンツを優先コンテンツとして選択し、この優先コンテンツを上記ページに優先的に表示させる点に特徴を有する。
【０００８】
第２の発明は、上記記憶部は、ページに同時表示させる複数のコンテンツを予め対応付けて記憶し、上記データ処理部は、検索エンジンを介して入力された検索キーワードに基づいて、上記同時表示させる複数のコンテンツの中から上記優先コンテンツを選択し、この優先コンテンツを、上記ページの優先表示位置に表示させる点を特徴とする。
第３の発明は、上記処理部は、検索エンジンを介して入力された検索キーワードに基づいて上記優先コンテンツを選択し、この優先コンテンツをページ上に表示させる点に特徴を有する。
【０００９】
第４の発明は、上記記憶部は、ページごとに対応付けた複数のコンテンツをグループ化した複数のコンテンツグループを記憶し、上記データ処理部は、検索エンジンを介して入力された検索キーワードに基づいて上記優先コンテンツを選択してこれを優先表示するとともに、この優先コンテンツが含まれるコンテンツグループを特定し、このコンテンツグループに含まれるコンテンツを上記優先コンテンツとともに上記ページに表示させる点に特徴を有する。
【００１０】
第５の発明は、上記記憶部は、複数のキーグループをグループ化したキーグループ群を記憶し、上記データ処理部は、検索エンジンを介して入力された検索キーワードに基づいて上記優先コンテンツを選択してこれを優先表示するとともに、この優先コンテンツに対応するキーグループが含まれるキーグループ群を特定し、この特定したキーグループ群に含まれる全てのキーグループに対応するコンテンツを、上記優先コンテンツととともに、上記ページに表示させる点に特徴を有する。
【発明の効果】
【００１１】
第１〜第５の発明によれば、ユーザーの目的にマッチしたコンテンツが優先的に表示されるため、ユーザーは、必要な情報に素早くたどり着くことができる。
それにより、この発明のシステムで管理されるウェブページを介しての商品の購買や、ユーザー登録などの成約率が高まり、企業などのウェブページ提供者も、ウェブページによる十分な効果を得られることが期待できる。
第４、第５の発明によれば、優先コンテンツとともに表示させるコンテンツを設定して、ユーザーの目的のコンテンツを優先表示させてユーザーを満足させながら、他のコンテンツもついでに表示させてさらに広告効果を上げることができる。
【発明を実施するための最良の形態】
【００１２】
図１〜図３にこの発明の第１実施形態を示す。
図１は、ウェブページの表示システムを示した模式図で、ウェブページを検索するユーザーが使用するユーザー端末１と、検索エンジン２と、この発明のデータ処理部３とを連係させている。また、データ処理部３には記憶部４を接続している。なお、これらデータ処理部３及び記憶部４は、同一サーバー内に構成してもよいし、別々の装置として設けたものでもよい。
この記憶部４には、このシステムで管理するウェブページＰ１，Ｐ２，・・・，に、そのページに表示する複数のコンテンツを対応付けて記憶している。そして、この記憶部４には、各ページに表示させるコンテンツそのものも記憶しているが、それとは別に、ページとコンテンツとの対応関係を記憶している。但し、上記コンテンツそのものは、この記憶部４とは別の記憶装置に記憶し、必要に応じてデータ処理部３が特定のコンテンツを引き出せるようにしてもよい。
【００１３】
ここでは、一つのページＰ１について説明するが、図２に示すように、このページＰ１には複数のコンテンツＡ，Ｂ，Ｃ，Ｄ，を対応付け、さらに、各コンテンツＡ，Ｂ，Ｃ，Ｄにはそれぞれ、キーグループＫａ，Ｋｂ，Ｋｃ，Ｋｄを対応付けたテーブルを、上記記憶部４が記憶している。そして、コンテンツＡ，Ｂ，Ｃ，Ｄも、ページＰ１を特定するページ特定情報に対応付けて、コンテンツデータベースとして記憶部４に記憶している。
上記各コンテンツＡ，Ｂ，Ｃ，Ｄは、それぞれ、ページＰ１に表示すべき情報で、例えば、このページＰ１がフルーツ販売サイトの場合、図７の従来例のホームページＨＰと同様に、各フルーツの写真や価格などの商品情報などである。
なお、この第１実施形態では、ページＰ１には、上記コンテンツＡ，Ｂ，Ｃ，Ｄの全てを同時に表示するものとして、記憶部４が記憶している。
【００１４】
また、上記キーグループＫａ，Ｋｂ，Ｋｃ，Ｋｄとは、複数の検索キーワードをグループ化したもので、個々のキーグループＫａ，Ｋｂ，Ｋｃ，Ｋｄには、対応するコンテンツの特性にマッチした複数の検索キーワードが含まれている。例えば、コンテンツＡがみかんの情報のとき、このコンテンツＡに対応させたキーグループＫａには、みかんの情報を検索したいユーザーが、検索キーワードとして用いることが予想される検索キーワードｋ（ａ１），ｋ（ａ２），ｋ（ａ３）が分類されている。このように、各コンテンツＡ，Ｂ，Ｃ，Ｄには、それぞれ、各コンテンツの特性に応じて分類した検索キーワードを含むキーグループを対応付けている。
【００１５】
そして、上記コンテンツＡ，Ｂ，Ｃ，Ｄの全てに対応付けられたキーグループＫａ，Ｋｂ，Ｋｃ，Ｋｄに属する全ての検索キーワードｋ（ａ１），ｋ（ａ２），・・・，ｋ（ｄ３）は、そのいずれが選択された場合でも、上記検索エンジン２によって上記ページＰ１が抽出されるようにしたものである。そして、どのページにどのような検索キーワードを対応付けるかということは、各コンテンツＡ，Ｂ，Ｃ，Ｄの特性に応じて決める必要がある。また、一度検索キーワードを設定しても、このページＰ１が抽出され易いより適切な検索キーワードに変更することもできる。
【００１６】
また、上記データ処理部３は、検索エンジン２を介して入力された検索キーワードに基づいて、表示すべきページＰ１，Ｐ２，・・・，の内容を最適化する処理を行なうところで、その機能を表示最適化プログラムとして設定されている。
以下に、この第１実施形態の表示最適化システムを用いて最適化されたページＰ１をユーザー端末１に表示させる手順を説明する。
ユーザー端末１からユーザーが検索キーワード、例えば検索キーワードｋ（ｄ２）を入力すると、検索エンジン２がこの検索キーワードｋ（ｄ２）の検索を行なって、ユーザー端末１にその検索結果のリストを表示させる。このリストには、上記ページＰ１も含まれている。
【００１７】
そこで、ユーザーが、ユーザー端末１によって、上記リストからページＰ１を選択すると、検索キーワードｋ（ｄ２）が、データ処理部３へ入力される。
この検索キーワードｋ（ｄ２）が入力されたデータ処理部３は、記憶部４が記憶している図２に示すテーブルから、検索キーワードｋ（ｄ２）を特定し、この検索キーワードｋ（ｄ２）が含まれるキーグループＫｄを特定する。データ処理部３は、キーグループＫｄを特定したら、このキーグループＫｄに対応するコンテンツＤを優先コンテンツとして特定する。
【００１８】
そして、コンテンツデータベースから、ページＰ１に対応付けるコンテンツＡ，Ｂ，Ｃ，Ｄを選択して、ページＰ１に配置するが、この際、図３に示すように、上記優先コンテンツＤをページＰ１内の優先表示位置５に配置して、それをユーザー端末１に表示させる。この優先表示位置５は、ページＰ１が表示されたとき、そこに配置されたコンテンツが特に目立つ位置である。
なお、図３に示すページＰ１の最上部に示した「新鮮なフルーツ」は、この実施形態のシステムによって表示を最適化する対象となるコンテンツではなく、固定的に表示されるものである。
【００１９】
上記ページＰ１のレイアウトの決め方は、どのような方法でもよいが、例えば、次のような方法が考えられる。
記憶部４には、４つのコンテンツをページ上の４つのはめ込み位置に配置する順番と、上記はめ込み位置中の優先表示位置５とを記憶しておき、データ処理部３は、上記手順で優先コンテンツＤを特定したら、まず、この優先コンテンツＤを、優先表示位置５に配置する。そして、他のコンテンツＡ，Ｂ，Ｃを、上記記憶している順番に従って、ページＰ１における優先表示位置５以外のはめ込み位置の上から配置していく。
あるいは、全てのコンテンツＡ，Ｂ，Ｃ，Ｄを配置した基準レイアウトを予め作成して記憶部４に記憶させておき、この基準レイアウトにおいて、特定した優先コンテンツＤが優先表示位置５にはめ込まれていない場合にのみ、優先表示位置５にはめ込まれているコンテンツと位置を交換するなどの方法が考えられる。
【００２０】
いずれにしても、最も見易く、目立つ優先表示位置５に、上記優先コンテンツＤを配置して、そのページＰ１をユーザー端末１に表示させる。
これにより、ユーザーは自分が入力した検索キーワードｋ（ｄ２）に最もマッチした目的の情報を、すぐに見ることができるようになる。
そのため、ページＰ１まで到達したのにもかかわらず、目的の情報が見つかり難いために、ほかのページに移動してしまうようなことを少なくでき、ページＰ１の有効性を高めることができる。
【００２１】
上記第１実施形態においては、複数のコンテンツＡ，Ｂ，Ｃ，Ｄを同時表示させながら、優先コンテンツＤを優先表示位置５に表示させることがこの発明の優先表示することである。
但し、優先表示の方法は、これに限らない。要するに、優先コンテンツがユーザーにとって分かりやすく表示されればよい。例えば、次に説明する第２実施形態は、優先コンテンツのみをページに表示させるようにしたシステムである。
【００２２】
第２実施形態のシステムの全体構成は、図１に示す第１実施形態と同じであり、記憶部４は、図２に示す第１実施形態と同様のテーブルを記憶している。
但し、この第２実施形態では、データ処理部３が、検索エンジン２を介して入力された検索キーワードに基づいて特定した優先コンテンツのみをページに表示するようにしている。
そこで、図２のテーブルに示すコンテンツＡ，Ｂ，Ｃ，Ｄは全て同時にページＰ１に表示されるものではなく、データ処理部３は、これらのコンテンツの中から優先コンテンツを選択してそれを表示させるようにしている。
【００２３】
また、ここでは、コンテンツＡはみかんの情報、コンテンツＢはいちごの情報、コンテンツＣはバナナの情報、コンテンツＤはすいかの情報とする。
例えば、検索キーワードとして「すいか」が入力され、上記ページＰ１が指定されたとき、データ処理部３は、上記検索キーワード「すいか」に基づいて、ページＰ１に対応付けられた複数のコンテンツＡ，Ｄ，Ｃ，Ｄの中から優先コンテンツＤを選択する。
なお、データ処理部３が入力された検索キーワードに基づいて優先コンテンツを選択する手順は、上記第１実施形態と同じである。すなわち、検索キーワード「すいか」からキーグループＫｄを特定し、さらにコンテンツＤを優先コンテンツとして選択する。
【００２４】
そして、データ処理部３は、図４に示すように、選択した優先コンテンツＤをページＰ１に表示させる。これにより、「すいか」を検索キーワードとした場合には、すいかの情報のみが表示される。
同様に、「いちご」を検索キーワードとした場合には、いちごの情報であるコンテンツＢのみが表示される（図４参照）。
つまり、この第２実施形態ではユーザーが目的とした情報のみを配置したページを表示できることになる。
【００２５】
図５に示す第３実施形態は、一つのページに複数のコンテンツＡ，Ｂ，Ｃ，Ｄ，・・・，Ｆを対応付けるとともに、これらのコンテンツを複数のコンテンツグループＧ１，Ｇ２，Ｇ３に分類して、記憶部４が記憶するようにしたものである。各コンテンツにはそれぞれキーグループＫ１，Ｋ２，Ｋ３，・・・，Ｋ７を対応づけ、各キーグループＫ１，Ｋ２，・・・には、対応するコンテンツの特性に基づいて決めた検索キーワードが含まれている点や、システムの全体構成は上記第１実施形態と同じである。従って、この第３実施形態の説明にも、図１を参照する。
【００２６】
この第３実施形態では、図５のテーブルに示した一つのページに対応付けたコンテンツＡ，Ｂ，Ｃ，Ｄ，・・・，Ｆを全て同時に表示するのではなく、これらのコンテンツの中から、選択した優先コンテンツが含まれるコンテンツグループのコンテンツを表示するようにしている。但し、これら同時に表示されるコンテンツ中で、優先コンテンツを優先表示する点は、他の実施形態と同じである。
【００２７】
以下に、この第３実施形態におけるデータ処理部３の処理手順を、具体的に説明する。
データ処理部３は、検索エンジン２を介して検索キーワードが入力されたとき、その検索キーワードが含まれるキーグループを特定する。例えば、データ処理部３がキーグループＫ５を特定した場合、このキーグループＫ５に対応するコンテンツＥを優先コンテンツとして選択する。
そして、この優先コンテンツＥをページの優先表示位置に配置する。
さらに、データ処理部３は、この優先コンテンツＥが含まれるコンテンツグループＧ２を特定し、このコンテンツグループＧ２に含まれるコンテンツＤを、上記優先コンテンツＥと同一ページに表示させる。つまり、同一ページ内の、上記優先表示位置以外のコンテンツはめ込み位置にコンテンツＤを配置してページを完成し、それをユーザー端末１に表示させる。
【００２８】
この第３実施形態のシステムでも、ユーザーが用いた検索キーワードに対応し、ユーザーの目的にマッチしたコンテンツが、優先表示位置に表示される。従って、ユーザーは、目的の情報をより簡単に得ることができる。
さらに、この第３実施形態では、上記優先コンテンツＥとともに同一コンテンツグループＧ２に含まれる別のコンテンツＤが表示される。この同一コンテンツグループに含まれるコンテンツの関係はどのように決めてもよいが、例えば、類似情報や、特定の商品を選択したユーザーに対して特にお勧めした情報など、互いに関連性の高いコンテンツであれば、ユーザーは、目的の情報をピンポイントで得られるだけでなく、その周辺情報も同時に得られることになる。
【００２９】
しかし、他のコンテンツとは特に関連性がないコンテンツを同一コンテンツグループに含ませるようにしてもよい。例えば、ウェブページ提供者側が、特に、広く報せたい情報が有る場合、そのコンテンツを全てのコンテンツグループに含ませておけば、特定のページが検索されたとき、ユーザーの求める情報とともに、提供者側が報せたい情報が同時に表示されるようになる。
このような、コンテンツグループは、ウェブページ提供者側の意図によって自由に設定することができる。
そして、記憶部４が記憶しているコンテンツそのものを変更しなくても、各コンテンツにグループ名を対応付けて対応関係を記憶部４に記憶させるだけで、簡単にコンテンツのグループ分けを設定したり、変更したりできる。
【００３０】
図６に示す第４実施形態は、図１に示す記憶部４が記憶しているキーグループを、複数のキーグループ群ＫＧ１，ＫＧ２，ＫＧ３に分類したものである。そして、データ処理部３が、特定した優先コンテンツに対応するキーグループ群に対応するコンテンツを優先コンテンツとともに同一ページに表示するようにしている。
この第４実施形態でも、データ処理部３が、検索エンジン２を介して入力された検索キーワードに基づいて優先コンテンツを特定する処理手順は、上記第１実施形態と同様である。
但し、優先コンテンツを特定する際に特定したキーグループが含まれるキーグループ群に対応する、優先コンテンツ以外のコンテンツも同時表示する点が特徴である。
【００３１】
例えば、検索エンジン２を介して入力された検索キーワードに基づいて図６のテーブルから、特定したキーグループがＫ５であり、対応するコンテンツＥを優先コンテンツとして選択した場合、データ処理部３は、上記キーグループＫ５が属するキーグループ群ＫＧ２を特定する。
次に、データ処理部３は、このキーグループ群ＫＧ２に含まれる、キーグループＫ３，Ｋ４，Ｋ５を特定し、これらキーグループＫ３，Ｋ４，Ｋ５に対応するコンテンツＣ，Ｄ，Ｅを同一ページに配置する。但し、上記優先コンテンツＥは、そのページの優先表示位置に配置して優先表示し、他のコンテンツＣ，Ｄを、他のコンテンツはめ込み位置に配置する。
【００３２】
この第４実施形態でも、上記第３実施形態と同様に、ユーザーの目的の情報を優先的に示すことができるだけでなく、そのコンテンツとともに、他のコンテンツも表示させることができる。そして、同一キーグループ群に分類するキーグループの関係も、上記第３実施形態のコンテンツグループと同様に、どのような基準で決めてもよい。同一キーグループ群に含まれるキーグループが互いに関連性の高いものであれば、優先コンテンツと同時表示されるコンテンツは優先コンテンツと関連性の高いものとなるが、特に関連性のないキーグループを同一キーグループ群に含ませてもよい。
【図面の簡単な説明】
【００３３】
【図１】第１実施形態のシステム構成図である。
【図２】第１実施形態の記憶部が記憶しているデータ例である。
【図３】第１実施形態で表示最適化されたウェブページである。
【図４】第２実施形態で表示最適化されたウェブページである。
【図５】第３実施形態の記憶部が記憶しているデータ例である。
【図６】第４実施形態の記憶部が記憶しているデータ例である。
【図７】従来例のウェブページである。
【符号の説明】
【００３４】
１    ユーザー端末
２    検索エンジン
３    データ処理部
４    記憶部
Ｐ１〜Ｐ３  ウェブページ
５    優先表示位置
【図１】
2010009220.tif 000003
【図２】
2010009220.tif 000004
【図３】
2010009220.tif 000005
【図４】
2010009220.tif 000006
【図５】
2010009220.tif 000007
【図６】
2010009220.tif 000008
【図７】
2010009220.tif 000009